(57)【特許請求の範囲】
【請求項１】
一端部にはマグネットが備えられ、他端部には被磁気吸着部材としての強磁性体又はマグネットが備えられると共に、前記一端部と前記マグネットとの間、及び、前記他端部と前記被磁気吸着部材との間にクッション材が備えられている分割パネルを複数使用し、
最初の分割パネルの他端部と、次の分割パネルの一端部とを磁気吸着し、さらにそれ以外の分割パネルも同様に磁気吸着させ、最後の分割パネルの他端部を、最初の分割パネルの一端部に磁気吸着させることで筒状に形成させてなることを特徴とする筒状パネル。
【発明の詳細な説明】
【技術分野】
【０００１】
本発明は、商品広告等のディスプレイに使用可能な筒状パネル及び筒状パネルの組付け方法に関する。
【背景技術】
【０００２】
従来、ビル等の店舗の改装工事において、工事中の区画と外部とを遮蔽する手段として平板状のパネルが採用されている（例えば、特許文献１参照）。かかるパネルは、各パーツに分解して運搬し、現場で一体的に組み付ける。かかるパネルは、組み立て現場で容易且つ迅速に組み付けることができるように、種々工夫がなされている。かかるパネルは、互いに隣接する平板パネルの両端部同士を接合して全体として平面状に接続する構成のものである。
【０００３】
特許文献１に記載の平面状のパネルは、平面状のものであるが、展示ブース設営や仮設店舗等においては、例えば、商品広告や装飾のディスプレイ等を目的として円筒状パネルを設置する場合がある。かかる円筒状パネル１００は、図１２に示すように、筒周方向に複数に分割されたパーツ（分割パネル）１０１の端面同士を突き合わせて円筒状に接合したものである。従来では、分割パネル１０１の接合手段としては、隣接する分割パネル１０１の端部である突合せ面同士を接着剤や両面テープにより貼着している。
【先行技術文献】
【特許文献】
【０００４】
【特許文献１】特開２００４−５２５３２号公報
【発明の概要】
【発明が解決しようとする課題】
【０００５】
従来のように分割パネル１０１の突合せ面同士を接着剤や両面テープで貼着する円筒状パネルの接合方法にあっては、分割パネル同士を一旦接着してしまうと、剥がして分離することが困難である。特に、分割パネルが紙製の場合は、接合面が剥がれてしまう問題がある。このように複数の分割パネルを接着剤や両面テープで接続するため、分割パネルにずれが生じた場合、分離して、ずれの微調整を行う修正作業が困難となる問題がある。
【０００６】
また、筒状パネルの場合は、その内側に作業者が入れないため、複数の作業者が各分割パネル１０１を持って一斉に分割パネルを接続させる方法が採用されており、作業性がよくないという問題がある。
【０００７】
そこで、本発明は、複数に分割された筒状パネルの設置現場において、最小人数の作業者により複数の分割パネルを容易且つ迅速に組み付けてセットできるようにした筒状パネル及び筒状パネルの組付け方法を提供することを課題とする。
【課題を解決するための手段】
【０００８】
本発明に係る筒状パネルの組付け方法は、複数の分割パネルを備え、一方の分割パネルの一端部と他方の分割パネルの他端部とを接合することにより、筒状に形成する筒状パネルの組付け方法であって、一方の分割パネルの一端部にマグネットを設け、この一方の分割パネルの一端部を他方の分割パネルの他端部に前記マグネットで磁気吸着させることで筒状に組み付けることを特徴としている。
【０００９】
本発明に用いる分割パネルは、両端部を磁気吸着で接合できるものであって、一端部にはマグネットが備えられ、他端部には被磁気吸着部材としての強磁性体又はマグネットが備えられると共に、その一端部とマグネットとの間、及び、その他端部と被磁気吸着部材との間にクッション材が備えられているものであり、複数使用する。
【００１０】
そして、最初の分割パネルの他端部と、次の分割パネルの一端部とを磁気吸着し、さらにそれ以外の分割パネルも同様に磁気吸着させ、最後の分割パネルの他端部を、最初の分割パネルの一端部に磁気吸着させることで筒状パネルとすることを特徴としている。
【発明の効果】
【００１１】
本発明によれば、複数の分割パネルを備え、一方の分割パネルの一端部がマグネットを介して他方の分割パネルの他端部に磁気吸着する構成であるので、容易に組み付けることができるだけでなく、一方の分割パネルと他方の分割パネルとの接合状態を吸着力に抗して適宜分離することが可能であり、組み付け状態を容易に微調整することができるだけでなく、分割パネルを容易に分離・撤去して再利用することができる。
【図面の簡単な説明】
【００１２】
【図１】本発明の実施形態に係る筒状パネルを分解した平面図である。
【図２】図１に示す点線で囲った筒状パネルの要部を示す斜視図である。
【図３】本発明の実施形態に係る筒状パネルを構成する分割パネルの斜視図である。
【図４】本発明の実施形態に係る筒状パネルの組み付け状態を示す斜視図である。
【図５】本発明の他の実施形態に係る筒状パネルであって、断面形状を三角形の筒状に構成したもので、（ａ）は分割パネルの分解状態を示す断面平面図、（ｂ）は分割パネルの接合状態を示す断面平面図である。
【図６】本発明のさらに他の実施形態に係る筒状パネルであって、断面形状を四角形の筒状に構成したもので、（ａ）は分割パネルの分解状態を示す断面平面図、（ｂ）は分割パネルの接合状態を示す断面平面図である。
【図７】本発明のさらに他の実施形態に係る筒状パネルであって、断面形状を五角形の筒状に構成したもので、（ａ）は分割パネルの分解状態を示す断面平面図、（ｂ）は分割パネルの接合状態を示す断面平面図である。
【図８】本発明のさらに他の実施形態に係る筒状パネルであって、断面形状を六角形の筒状に構成したもので、（ａ）は分割パネルの分解状態を示す断面平面図、（ｂ）は分割パネルの接合状態を示す断面平面図である。
【図９】本発明のさらに他の実施形態に係る筒状パネルであって、断面形状を七角形の筒状に構成したもので、（ａ）は分割パネルの分解状態を示す断面平面図、（ｂ）は分割パネルの接合状態を示す断面平面図である。
【図１０】本発明のさらに他の実施形態に係る筒状パネルであって、断面形状を八角形の筒状に構成したもので、（ａ）は分割パネルの分解状態を示す断面平面図、（ｂ）は分割パネルの接合状態を示す断面平面図である。
【図１１】本発明のさらに他の実施形態に係る筒状パネルであって、断面形状を九角形の筒状に構成したもので、（ａ）は分割パネルの分解状態を示す断面平面図、（ｂ）は分割パネルの接合状態を示す断面平面図である。
【図１２】従来の筒状パネルの組付け方法の一例を示す斜視図である。
【発明を実施するための形態】
【００１３】
以下、本発明に係る筒状パネル及び筒状パネルの組付け方法を実施の形態に基づき、図面を参照して説明する。
【００１４】
図１は本発明の実施形態に係る筒状パネルを分解した平面図（遠近法で描いている。図２〜図４も同じ。）、図２は同じく筒状パネルの筒状パネルの要部（図１中の点線で囲った部分）を示す斜視図、図３は同じく筒状パネルを構成する分割パネルの斜視図である。
【００１５】
本実施形態の筒状パネル１は、複数の分割パネル２を備えている。尚、本実施形態は、円筒状の筒状パネル１が筒周方向に４分割された場合を例示する。
【００１６】
筒状パネル１は、同一形状の第１〜第４分割パネル２ａ〜２ｄを備えている。第１〜第４分割パネル２ａ〜２ｄは、外側に凸状となるように軽量の紙製シートが円弧状に湾曲形成されたものである。第１〜第４分割パネル２ａ〜２ｄの周方向両端部には、筒中心に向けて屈曲形成された帯状の連結部２０、２１が、分割パネルの長手方向全長にわたってそれぞれ設けられている。第１〜第４分割パネル２ａ〜２ｄの表面には、例えば広告や装飾等の絵柄が施されている。
【００１７】
第１〜第４分割パネル２ａ〜２ｄにおける一方の連結部２０の外面（接合面）である端部には、マグネットとしての帯状のマグネットシート５が連結部全長にわたって接着剤や両面接着テープなどにより貼着されている。また、他方の連結部２１の外面（接合面）である端部には、被磁気吸着部材としての強磁性体（例えばスチール箔のような強磁性体シート）６が端部の全長にわたって接着剤や両面接着テープなどにより貼着されている。
【００１８】
第１分割パネル２ａの連結部２０のマグネットシート５と、隣接する第４分割パネル２ｄの連結部２１の強磁性体シート６とは、着脱自在に磁気吸着する。また、第１分割パネル２ａの連結部２１の強磁性体シート６と、隣接する第２分割パネル２ｂの連結部２０のマグネットシート５とは、着脱自在に磁気吸着する。第２分割パネル２ｂの連結部２１の強磁性体シート６と、隣接する第３分割パネル２ｃの連結部２０のマグネットシート５とは、着脱自在に磁気吸着する。第３分割パネル２ｃの連結部２１の強磁性体シート６と、隣接する第４分割パネル２ｄのマグネットシート５とは、着脱自在に磁気吸着する。
【００１９】
次に、一人の作業者が第１〜第４分割パネル２ａ〜２ｄを組み付けて筒状パネル１を形成する筒状パネルの組付け方法について説明する。
【００２０】
まず、各分割パネル２を展示ブース設営、仮設店舗等の所定の現場まで搬送する。この運搬に際しては、分割パネル２は紙製であるため軽量であり、取り扱いが簡単である。
【００２１】
次に、第１分割パネル２ａを所定の設置面に立設させる。これら第１〜第４分割パネル２は円弧状に湾曲形成されているため、容易に自立させることが可能である。自立する第１分割パネル２ａの隣に、第２分割パネル２ｂを接近させ、第１分割パネル２ａの連結部２１の強磁性体シート６に、第２分割パネル２ｂの連結部２０のマグネットシート５を磁気吸着によって接続する。これにより、第１分割パネル２ａと第２分割パネル２ｂとの接続が完了する。
【００２２】
さらに、自立する第２分割パネル２ｂの連結部２１の強磁性体シート６に、第３分割パネル２ｃの連結部２０のマグネットシート５を吸着吸着によって接続する。これにより、第２分割パネル２ｂと第３分割パネル２ｃとの接続が完了する。
【００２３】
さらに、自立する第３分割パネル２ｃの連結部２１の強磁性体シート６に、第４分割パネル２ｄの連結部２０のマグネットシート５を磁気吸着によって接続する。以上の第１分割パネル２ａと第２分割パネル２ｂとの接続から第２分割パネル２ｂと第３分割パネル２ｃとの接続は、作業者が各分割パネル２ａ〜２ｃの内側に入って作業してもよい。
そして、図４に示すように、第４分割パネル２ｄの連結部２１の強磁性体シート６に、第１分割パネル２ａの連結部２０のマグネットシート５を磁気吸着によって接続し、第４分割パネル２ｄの連結部２０のマグネットシート５を第３分割パネル２ｃの強磁性体シート６に磁気吸着によって接続する。
このとき、作業者は第１〜第３分割パネル２ａ〜２ｄの内側に入って作業することができない。しかし、第１〜第３分割パネル２ａ〜２ｄは、磁気吸着によって接続され、換言すれば、拘束されていることで、第４分割パネル２ｄを第１分割パネル２ａと第３分割パネル２ｃとの間に入れ込んでも、第１分割パネル２ａと第３分割パネル２ｃとの間隔が広がるようなことはない。これにより、第４分割パネル２ｄは、第１分割パネル２ａおよび第３分割パネル２ｃとの接続が完了し、筒状パネル１が形成される。
【００２４】
以上のように、本発明の筒状パネルの組付け方法によれば、一人の作業者により、第１〜第４分割パネル２ａ〜２ｄを組み付けて筒状パネル１を容易且つ迅速に形成してセットすることが可能である。尚、前記実施形態では、作業者は一人としたが、複数人で作業することも可能である。また、第１〜第４分割パネル２ａ〜２ｄのそれぞれは、磁気吸着力を利用して接続しているため、第１〜第４分割パネル２ａ〜２ｄを順次接続する過程において、位置ずれして接続されても、所望の第１〜第４分割パネル２ａ〜２ｄを吸着力に抗して適宜分離して分割パネルの上下位置や、筒径方向の相対位置をずらしたりして容易に位置調整（微調整）をすることが可能である。
【００２５】
また、紙製の第１〜第４分割パネル２ａ〜２ｄを分離する場合であっても、第１〜第４分割パネル２ａ〜２ｄ同士は、磁気吸着力を利用しているため、接合面が剥がれるおそれはない。
【００２６】
展示ブース設営や仮設店舗終了の際には、第１〜第４分割パネル２ａ〜２ｄを吸着力に抗してそれぞれ分離して筒状パネル１を分解することが可能である。尚、任意のパネルに予め把手部または開口部（図示省略）を設けておいて、この把手部等を把持してパネルを分解するようにしてもよい。
【００２７】
また、本実施形態の筒状パネルは、各第１〜第４分割パネル２ａ〜２ｄを独立して着脱することが可能となり、任意の第１〜第４分割パネル２ａ〜２ｄのみを新なものと交換してディスプレイの表示を任意に変更したり、別の場所で再利用することも可能である。
【００２８】
図５〜図１１は、本発明の他の実施形態を示す。尚、前記実施形態と同一部材には同一符号を付与し、詳細な説明は省略する。
【００２９】
図５（ａ）および（ｂ）に示す本実施形態に係る筒状パネルは、水平方向に切断した断面形状を三角形の筒状に構成したものである。かかる筒状パネル１は、３個の分割パネル（第１〜第３分割パネル２ａ〜２ｃ）を備えている。
第１分割パネル２ａと第３分割パネル２ｃは、両端部を内側に折り曲げた連結部２０，２１を備え、それぞれの端部には、マグネットシート５と強磁性体シート６（ともに図示せず）とが貼着されている。そして、第２分割パネル２ｂは平板状に形成されており、一方の連結部２０と他方の連結部２１は平坦な両端部に設けられている。なお、図示しないが、第１〜第３分割パネル２ａ〜２ｃは、一方の端部のみ内側に折り曲げることで、全て同じ形状としてもよい。
【００３０】
図６（ａ）および（ｂ）に示す本実施形態に係る筒状パネルは、水平方向に切断した断面形状を四角形の筒状に構成したものである。かかる筒状パネル１は、４個の分割パネル（第１〜第４分割パネル２ａ〜２ｄ）を備えている。各第１〜第４分割パネル２ａ〜２ｄの中途部は直角に屈曲されている。また、各第１〜第４分割パネル２ａ〜２ｄは、両端部を内側に折り曲げた連結部２０，２１を備え、それぞれの端部には、マグネットシート５と強磁性体シート６（ともに図示せず）とが貼着されている。
【００３１】
図７（ａ）および（ｂ）に示す本実施形態に係る筒状パネルは、水平方向に切断した断面形状を五角形の筒状に構成したものである。かかる筒状パネル１は、５個の分割パネル（第１〜第５分割パネル２ａ〜２ｅ）を備えている。第１分割パネル２ａの中途部は屈曲形成され、第２〜第５分割パネル２ｂ〜ｅは平板状に形成されている。
また、第１、第２、第４、第５分割パネル２ａ，２ｂ，２ｄ，２ｅの両端部は、内側に折り曲げた連結部２０，２１を備え、それぞれの端部には、マグネットシート５と強磁性体シート６（ともに図示せず）とが貼着されている。第３分割パネル２ｃの両端部は折り曲げられず、マグネットシート５と強磁性体シートとが貼着されている。
【００３２】
図８（ａ）および（ｂ）に示す本実施形態に係る筒状パネルは、水平方向に切断した断面形状を六角形の筒状に構成したものである。かかる筒状パネル１は、６個の分割パネル（第１〜第６分割パネル２ａ〜２ｆ）を備えている。第１〜第６分割パネル２ａ〜２ｆは、両端部を内側に折り曲げた連結部２０，２１を備え、それぞれの端部には、マグネットシート５と強磁性体シート６（ともに図示せず）とが貼着されている。
【００３３】
図９（ａ）および（ｂ）に示す本実施形態に係る筒状パネルは、水平方向に切断した断面形状を七角形の筒状に構成したものである。かかる筒状パネル１は、７個の分割パネル（第１〜第７分割パネル２ａ〜２ｇ）を備えている。第１〜第７分割パネル２ａ〜２ｇは、両端部を内側に折り曲げた連結部２０，２１を備え、それぞれの端部には、マグネットシート５と強磁性体シート６（ともに図示せず）とが貼着されている。
【００３４】
図１０（ａ）および（ｂ）に示す本実施形態に係る筒状パネルは、水平方向に切断した断面形状を八角形の筒状に構成したものである。かかる筒状パネル１は、８個の分割パネル（第１〜第８分割パネル２ａ〜２ｈ）を備えている。第１〜第７分割パネル２ａ〜２ｈは、両端部を内側に折り曲げた連結部２０，２１を備え、それぞれの端部には、マグネットシート５と強磁性体シート６（ともに図示せず）とが貼着されている。
【００３５】
図１１（ａ）および（ｂ）に示す本実施形態に係る筒状パネルは、水平方向に切断した断面形状を九角形の筒状に構成したものである。かかる筒状パネル１は、９個の分割パネル（第１〜第９分割パネル２ａ〜２ｉ）を備えている。第１〜第７分割パネル２ａ〜２ｉは、両端部を内側に折り曲げた連結部２０，２１を備え、それぞれの端部には、マグネットシート５と強磁性体シート６（ともに図示せず）とが貼着されている。
【００３６】
以上、本発明を実施の形態に基づいて説明したが、本発明は、上記の実施の形態に限定されるものではない。例えば、連結部２１の磁性体シート６に代えてマグネットシート５を設けることも可能である。かかる場合は、マグネットシート５同士を吸着させることができるため、さらに強固な吸着力で分割パネル同士を接続させることが可能である。
【００３７】
筒状パネル１の断面形状は、円形や多角形に限定されるものではなく、任意の形状のものが採用可能である。また、分割パネルの材質も紙製以外に金属製のものであってよい。かかる場合は、分割パネル自体が磁性体の機能を発揮するため、別部材の磁性体を設ける必要がない。
【００３８】
また、各分割パネル２ａ〜２ｉの連結部２０，２１とマグネットシート５の間及び強磁性体シート６との間にクッション材（図示せず）を介在させてもよい。連結部２０，２１の表面がわずかに起伏し、この起伏に沿ってマグネットシート５と強磁性体シート６とが密着した場合であっても、クッション材によって起伏を解消し、マグネットシート５と強磁性体シート６とが密着するようにすることができる。
しかも、マグネットシート５および磁性体シート６は、連続したもの以外に、所定の間隔を有して断続的に設けたものであってもよい。さらに、筒状パネル１は、建物の室内外に立設された柱の周囲に設けることも可能である。本発明と同一および均等の範囲内において、上記の実施の形態に対して種々の変更を加えることが可能である。
【符号の説明】
【００３９】
１          筒状パネル
２ａ        第１分割パネル
２ｂ        第２分割パネル
２ｃ        第３分割パネル
２ｄ        第４分割パネル
２ｅ        第５分割パネル
２ｆ        第６分割パネル
２ｇ        第７分割パネル
２ｈ        第８分割パネル
２ｉ        第９分割パネル
５          マグネットシート（マグネット）
６          磁性体シート（磁性体）
２０        一方の連結部
２１        他方の連結部
【図１】
0006661218.tif 000002
【図２】
0006661218.tif 000003
【図３】
0006661218.tif 000004
【図４】
0006661218.tif 000005
【図５】
0006661218.tif 000006
【図６】
0006661218.tif 000007
【図７】
0006661218.tif 000008
【図８】
0006661218.tif 000009
【図９】
0006661218.tif 000010
【図１０】
0006661218.tif 000011
【図１１】
0006661218.tif 000012
【図１２】
0006661218.tif 000013